(57)【要約】【課題】端末装置でのコンテンツの接触状況の把握をより適切に行うことが可能とする。【解決手段】携帯電話機１０は、ワンセグメント放送の視聴に関する自身の処理を示すアクションログを取得する。次に、携帯電話機１０は、アクションログに基づいて、ワンセグメント放送の視聴状況を示す視聴状況データを生成する。更に、携帯電話機１０は、収集サーバ２０へ視聴状況データを送信する。収集サーバ２０は、携帯電話機１０からの視聴状況データを受信し、記憶する。【選択図】図１
2010183292.tif 000002
【特許請求の範囲】
【請求項１】
コンテンツの接触機能を有する端末装置と、前記端末装置におけるコンテンツの接触状況を収集する収集サーバとを備えるコンテンツ接触調査システムであって、
前記端末装置は、
前記コンテンツの接触機能の実行時に処理されるアプリケーションに関するアクションログを監視するアクションログ監視部と、
前記アクションログ監視部による監視結果に基づいて、前記コンテンツの接触状況を示す接触状況データを生成する接触状況データ生成部と、
前記接触状況データ生成部により生成された前記接触状況データを前記収集サーバへ送信する送信部と
を備え、
前記収集サーバは、
前記端末装置からの前記接触状況データを受信する受信部と、
前記受信部により受信された前記接触状況データを記憶する記憶部と
を備えるコンテンツ接触調査システム。
【請求項２】
前記アクションログ監視部は、前記コンテンツの接触機能の実行時に処理されるアプリケーションの起動情報及び終了情報を生成し、
前記接触状況データ生成部は、前記アプリケーションの起動情報及び終了情報に基づいて、接触開始時刻及び接触終了時刻を特定し、前記接触開始時刻及び接触終了時刻を含んだ前記接触状況データを生成する請求項１に記載のコンテンツ接触調査システム。
【請求項３】
前記端末装置は、前記コンテンツの接触機能の実行時における、利用者による操作部の操作を示す操作情報を取得する操作情報取得部を備え、
前記接触状況データ生成部は、前記操作情報取得部により取得された前記操作情報に基づいて、接触対象のコンテンツの伝送チャンネルを特定し、前記接触対象のコンテンツの伝送チャンネルを含んだ前記接触状況データを生成する請求項１又は２に記載のコンテンツ接触調査システム。
【請求項４】
前記接触状況データ生成部は、前記操作情報に基づいて、前記コンテンツに付随する付随コンテンツへの接触状況を特定し、前記付随コンテンツへの接触状況を含んだ前記接触状況データを生成する請求項３に記載のコンテンツ接触調査システム。
【請求項５】
前記端末装置は、前記コンテンツの接触機能の実行時における、コンテンツ画像の情報を取得する画像情報取得部を備え、
前記接触状況データ生成部は、前記画像情報取得部により取得された前記コンテンツ画像の情報に基づいて、接触対象のコンテンツの伝送チャンネルを特定し、前記接触対象のコンテンツの伝送チャンネルを含んだ前記接触状況データを生成する請求項１乃至４の何れかに記載のコンテンツ接触調査システム。
【請求項６】
前記接触状況データ生成部は、前記端末装置の識別情報を含んだ前記接触状況データを生成する請求項１乃至５の何れかに記載のコンテンツ接触調査システム。
【請求項７】
前記端末装置は、自端末装置の位置を検出する位置検出部を備え、
前記接触状況データ生成部は、前記位置検出部により検出された前記端末装置の位置を含んだ前記接触状況データを生成する請求項１乃至６の何れかに記載のコンテンツ接触調査システム。
【請求項８】
前記端末装置は、前記視聴状況データの生成を要求するための生成要求信号を検出する信号検出部を備え、
前記接触状況データ生成部は、前記信号検出部により前記生成要求信号が検出された場合に、前記接触状況データを生成する請求項１乃至７の何れかに記載のコンテンツ接触調査システム。
【請求項９】
コンテンツの接触機能を有する端末装置であって、
前記コンテンツの接触機能の実行時に処理されるアプリケーションに関するアクションログを監視するアクションログ監視部と、
前記アクションログ監視部による監視結果に基づいて、前記コンテンツの接触状況を示す接触状況データを生成する接触状況データ生成部と、
前記接触状況データ生成部により生成された前記接触状況データを、コンテンツの接触状況を収集する収集サーバへ送信する送信部と
を備える端末装置。
【請求項１０】
前記アクションログ監視部は、前記コンテンツの接触機能の実行時に処理されるアプリケーションの起動情報及び終了情報を生成し、
前記接触状況データ生成部は、前記アプリケーションの起動情報及び終了情報に基づいて、接触開始時刻及び接触終了時刻を特定し、前記接触開始時刻及び接触終了時刻を含んだ前記接触状況データを生成する請求項９に記載の端末装置。
【請求項１１】
前記コンテンツの接触機能の実行時における、利用者による操作部の操作を示す操作情報を取得する操作情報取得部を備え、
前記接触状況データ生成部は、前記操作情報取得部により取得された前記操作情報に基づいて、接触対象のコンテンツの伝送チャンネルを特定し、前記接触対象のコンテンツの伝送チャンネルを含んだ前記接触状況データを生成する請求項９又は１０に記載の端末装置。
【請求項１２】
前記接触状況データ生成部は、前記操作情報に基づいて、前記コンテンツに付随する付随コンテンツへの接触状況を特定し、前記付随コンテンツへの接触状況を含んだ前記接触状況データを生成する請求項１１に記載の端末装置。
【請求項１３】
前記コンテンツの接触機能の実行時における、コンテンツ画像の情報を取得する画像情報取得部を備え、
前記接触状況データ生成部は、前記画像情報取得部により取得された前記コンテンツ画像の情報に基づいて、接触対象のコンテンツの伝送チャンネルを特定し、前記接触対象のコンテンツの伝送チャンネルを含んだ前記接触状況データを生成する請求項９乃至１２の何れかに記載の端末装置。
【請求項１４】
前記接触状況データ生成部は、前記端末装置の識別情報を含んだ前記接触状況データを生成する請求項９乃至１３の何れかに記載の端末装置。
【請求項１５】
前記端末装置の位置を検出する位置検出部を備え、
前記接触状況データ生成部は、前記位置検出部により検出された前記端末装置の位置を含んだ前記接触状況データを生成する請求項９乃至１４の何れかに記載の端末装置。
【請求項１６】
前記接触状況データの生成を要求するための生成要求信号を検出する信号検出部を備え、
前記接触状況データ生成部は、前記信号検出部により前記生成要求信号が検出された場合に、前記接触状況データを生成する請求項９乃至１５の何れかに記載の端末装置。
【請求項１７】
コンテンツの接触機能を有する端末装置におけるコンテンツ接触調査支援方法であって、
前記端末装置が、前記コンテンツの接触機能の実行時に処理されるアプリケーションに関するアクションログを監視するステップと、
前記端末装置が、前記アクションログを監視するステップによる監視結果に基づいて、前記コンテンツの接触状況を示す接触状況データを生成するステップと、
前記端末装置が、生成された前記接触状況データを、コンテンツの接触状況を収集する収集サーバへ送信するステップと
を備えるコンテンツ接触調査支援方法。
【請求項１８】
前記アクションログを監視するステップは、前記コンテンツの接触機能の実行時に処理されるアプリケーションの起動情報及び終了情報を生成し、
前記接触状況データを生成するステップは、生成された前記アプリケーションの起動情報及び終了情報に基づいて、接触開始時刻及び接触終了時刻を特定し、前記接触開始時刻及び接触終了時刻を含んだ前記接触状況データを生成する請求項１７に記載のコンテンツ接触調査支援方法。
【請求項１９】
前記端末装置が、前記コンテンツの接触機能の実行時における、利用者による操作部の操作を示す操作情報を取得するステップを備え、
前記接触状況データを生成するステップは、取得された前記操作情報に基づいて、接触対象のコンテンツの伝送チャンネルを特定し、前記接触対象のコンテンツの伝送チャンネルを含んだ前記接触状況データを生成する請求項１７又は１８に記載のコンテンツ接触調査支援方法。
【請求項２０】
前記接触状況データを生成するステップは、前記操作情報に基づいて、前記コンテンツに付随する付随コンテンツへの接触状況を特定し、前記付随コンテンツへの接触状況を含んだ前記接触状況データを生成する請求項１９に記載のコンテンツ接触調査支援方法。
【請求項２１】
前記端末装置が、前記コンテンツの接触機能の実行時における、コンテンツ画像の情報を取得するステップを備え、
前記接触状況データを生成するステップは、取得された前記コンテンツ画像の情報に基づいて、接触対象のコンテンツの伝送チャンネルを特定し、前記接触対象のコンテンツの伝送チャンネルを含んだ前記接触状況データを生成する請求項１７乃至２０の何れかに記載のコンテンツ接触調査支援方法。
【請求項２２】
前記接触状況データを生成するステップは、前記端末装置の識別情報を含んだ前記接触状況データを生成する請求項１７乃至２１の何れかに記載のコンテンツ接触調査支援方法。
【請求項２３】
前記端末装置が、自端末装置の位置を検出するステップを備え、
前記接触状況データを生成するステップは、検出された前記端末装置の位置を含んだ前記接触状況データを生成する請求項１７乃至２２の何れかに記載のコンテンツ接触調査支援方法。
【請求項２４】
前記端末装置が、前記接触状況データの生成を要求するための生成要求信号を検出するステップを備え、
前記接触状況データを生成するステップは、前記生成要求信号が検出された場合に、前記接触状況データを生成する請求項１７乃至２３の何れかに記載のコンテンツ接触調査支援方法。
【発明の詳細な説明】
【技術分野】
【０００１】
本発明は、コンテンツの接触機能を有する端末装置と、当該端末装置におけるコンテンツの接触状況を収集する収集サーバとを備えるコンテンツ接触調査システム、端末装置、及び、当該端末装置におけるコンテンツ接触調査支援方法に関する。
【背景技術】
【０００２】
近年、携帯電話機には、様々な機能が搭載されるようになっている。例えば、携帯電話機には、テレビ放送の視聴機能を有するものがある。このテレビ放送の視聴機能を有する携帯電話機は、広く普及しているため、従来の据え置き型のテレビ受像機での放送の視聴状況の把握のみならず、携帯電話機での放送の視聴状況の把握も要求されるようになっている。
【０００３】
例えば、特許文献１及び特許文献２に記載された技術では、放送受信端末は、受信放送信号の視聴状況を収集、送信している。一方、サーバは、視聴状況を受信し、データベースに登録する。
【先行技術文献】
【特許文献】
【０００４】
【特許文献１】特開２００６−３５２４３７号公報
【特許文献２】特開２００６−３５２４３８号公報
【発明の概要】
【発明が解決しようとする課題】
【０００５】
上述した特許文献１及び特許文献２に記載された技術では、放送受信端末は、受信放送信号を解析し、その解析結果に基づいて視聴状況を把握している。しかしながら、このような受信放送信号の解析結果に基づく視聴状況の把握では、以下のような問題が生じる。すなわち、受信放送信号に視聴状況の把握に必要な情報が含まれていない場合、放送受信端末やサーバは、放送受信端末での視聴状況を把握することができない。また、放送信号の受信品質が劣化している場合には、当該放送信号に視聴状況の把握に必要な情報が含まれていても、放送受信端末は、その情報を取得することができないことがある。その結果、放送受信端末やサーバは、放送受信端末での視聴状況を把握することができない場合がある。
【０００６】
上記問題点に鑑み、本発明は、端末装置でのコンテンツの接触状況の把握をより適切に行うことが可能なコンテンツ接触調査システム、端末装置、及び、コンテンツ接触調査支援方法を提供することを目的とする。
【課題を解決するための手段】
【０００７】
上述した課題を解決するために、本発明は以下のような特徴を有している。まず、本発明の第１の特徴は、コンテンツの接触機能を有する端末装置（携帯電話機１０）と、前記端末装置におけるコンテンツの接触状況を収集する収集サーバ（収集サーバ２０）とを備えるコンテンツ接触調査システムであって、前記端末装置は、前記コンテンツの接触機能の実行時に処理されるアプリケーションに関するアクションログを監視するアクションログ監視部（アプリケーション監視部１５２）と、前記アクションログ監視部による監視結果に基づいて、前記コンテンツの接触状況を示す接触状況データを生成する接触状況データ生成部（視聴状況データ生成部１６２）と、前記接触状況データ生成部により生成された前記接触状況データを前記収集サーバへ送信する送信部（視聴状況データ送信部１６４）とを備え、前記収集サーバは、前記端末装置からの前記接触状況データを受信する受信部（Ｉ／Ｆ部２０２）と、前記受信部により受信された前記接触状況データを記憶する記憶部（記憶部２０６）とを備えることを要旨とする。
【０００８】
このようなコンテンツ接触調査システムでは、端末装置は、コンテンツの接触機能の実行時に処理されるアプリケーションに関するアクションログを監視し、当該監視の結果に基づいて、コンテンツの接触状況を示す接触状況データを生成する。すなわち、端末装置及び収集サーバは、端末装置による受信コンテンツ信号の解析のみでは、適切に接触状況を把握することができない場合であっても、アクションログに基づいて、接触状況を把握することが可能となる。ここで、コンテンツの接触とは、テレビ放送の視聴、ラジオ放送の聴取、通信を介した映像や音声の視聴等を意味する。
【０００９】
本発明の第２の特徴は、本発明の第１の特徴に係り、前記アクションログ監視部は、前記コンテンツの接触機能の実行時に処理されるアプリケーションの起動情報及び終了情報を生成し、前記接触状況データ生成部は、前記アプリケーションの起動情報及び終了情報に基づいて、接触開始時刻及び接触終了時刻を特定し、前記接触開始時刻及び接触終了時刻を含んだ前記接触状況データを生成することを要旨とする。
【００１０】
本発明の第３の特徴は、本発明の第１又は第２の特徴に係り、前記端末装置は、前記コンテンツの接触機能の実行時における、利用者による操作部の操作を示す操作情報を取得する操作情報取得部（キーロガー情報取得部１５４）を備え、前記接触状況データ生成部は、前記操作情報取得部により取得された前記操作情報に基づいて、接触対象のコンテンツの伝送チャンネルを特定し、前記接触対象のコンテンツの伝送チャンネルを含んだ前記接触状況データを生成することを要旨とする。
【００１１】
本発明の第４の特徴は、本発明の第３の特徴に係り、前記接触状況データ生成部は、前記操作情報に基づいて、前記コンテンツに付随する付随コンテンツへの接触状況を特定し、前記付随コンテンツへの接触状況を含んだ前記接触状況データを生成することを要旨とする。
【００１２】
本発明の第５の特徴は、本発明の第１乃至第４の特徴の何れかに係り、前記端末装置は、前記コンテンツの接触機能の実行時における、コンテンツ画像の情報を取得する画像情報取得部（キャプチャ画像情報取得部１５６）を備え、前記接触状況データ生成部は、前記画像情報取得部により取得された前記コンテンツ画像の情報に基づいて、接触対象のコンテンツの伝送チャンネルを特定し、前記接触対象のコンテンツの伝送チャンネルを含んだ前記接触状況データを生成することを要旨とする。
【００１３】
本発明の第６の特徴は、本発明の第１乃至第５の特徴の何れかに係り、前記接触状況データ生成部は、前記端末装置の識別情報を含んだ前記接触状況データを生成することを要旨とする。
【００１４】
本発明の第７の特徴は、本発明の第１乃至第６の特徴の何れかに係り、前記端末装置は、自端末装置の位置を検出する位置検出部（位置情報検出部１６０）を備え、前記接触状況データ生成部は、前記位置検出部により検出された前記端末装置の位置を含んだ前記接触状況データを生成することを要旨とする。
【００１５】
本発明の第８の特徴は、本発明の第１乃至第７の特徴の何れかに係り、前記端末装置は、前記接触状況データの生成を要求するための生成要求信号を検出する信号検出部（着信検出部１６１）を備え、前記接触状況データ生成部は、前記信号検出部により前記生成要求信号が検出された場合に、前記接触状況データを生成することを要旨とする。
【００１６】
本発明の第９の特徴は、コンテンツの接触機能を有する端末装置であって、前記コンテンツの接触機能の実行時に処理されるアプリケーションに関するアクションログを監視するアクションログ監視部と、前記アクションログ監視部による監視結果に基づいて、前記コンテンツの接触状況を示す接触状況データを生成する接触状況データ生成部と、前記接触状況データ生成部により生成された前記接触状況データを、コンテンツの接触状況を収集する収集サーバへ送信する送信部とを備えることを要旨とする。
【００１７】
本発明の第１０の特徴は、本発明の第９の特徴に係り、前記アクションログ監視部は、前記コンテンツの接触機能の実行時に処理されるアプリケーションの起動情報及び終了情報を生成し、前記接触状況データ生成部は、前記アプリケーションの起動情報及び終了情報に基づいて、接触開始時刻及び接触終了時刻を特定し、前記接触開始時刻及び接触終了時刻を含んだ前記接触状況データを生成することを要旨とする。
【００１８】
本発明の第１１の特徴は、第９又は第１０の特徴に係り、前記コンテンツの接触機能の実行時における、利用者による操作部の操作を示す操作情報を取得する操作情報取得部を備え、前記接触状況データ生成部は、前記操作情報取得部により取得された前記操作情報に基づいて、接触対象のコンテンツの伝送チャンネルを特定し、前記接触対象のコンテンツの伝送チャンネルを含んだ前記接触状況データを生成することを要旨とする。
【００１９】
本発明の第１２の特徴は、本発明の第１１の特徴に係り、前記接触状況データ生成部は、前記操作情報に基づいて、前記コンテンツに付随する付随コンテンツへの接触状況を特定し、前記付随コンテンツへの接触状況を含んだ前記接触状況データを生成することを要旨とする。
【００２０】
本発明の第１３の特徴は、本発明の第９乃至第１２の特徴の何れかに係り、前記コンテンツの接触機能の実行時における、コンテンツ画像の情報を取得する画像情報取得部を備え、前記接触状況データ生成部は、前記画像情報取得部により取得された前記コンテンツ画像の情報に基づいて、接触対象のコンテンツの伝送チャンネルを特定し、前記接触対象のコンテンツの伝送チャンネルを含んだ前記接触状況データを生成することを要旨とする。
【００２１】
本発明の第１４の特徴は、本発明の第９乃至第１３の特徴の何れかに係り、前記接触状況データ生成部は、前記端末装置の識別情報を含んだ前記接触状況データを生成することを要旨とする。
【００２２】
本発明の第１５の特徴は、本発明の第９乃至第１４の特徴の何れかに係り、前記端末装置の位置を検出する位置検出部を備え、前記接触状況データ生成部は、前記位置検出部により検出された前記端末装置の位置を含んだ前記接触状況データを生成することを要旨とする。
【００２３】
本発明の第１６の特徴は、本発明の第９乃至第１５の特徴の何れかに係り、前記接触状況データの生成を要求するための生成要求信号を検出する信号検出部を備え、前記接触状況データ生成部は、前記信号検出部により前記生成要求信号が検出された場合に、前記接触状況データを生成することを要旨とする。
【００２４】
本発明の第１７の特徴は、コンテンツの接触機能を有する端末装置におけるコンテンツ接触調査支援方法であって、前記端末装置が、前記コンテンツの接触機能の実行時に処理されるアプリケーションに関するアクションログを監視するステップと、前記端末装置が、前記アクションログを監視するステップによる監視結果に基づいて、前記コンテンツの接触状況を示す接触状況データを生成するステップと、前記端末装置が、生成された前記接触状況データを、コンテンツの接触状況を収集する収集サーバへ送信するステップとを備えることを要旨とする。
【００２５】
本発明の第１８の特徴は、本発明の第１７の特徴に係り、前記アクションログを監視するステップは、前記コンテンツの接触機能の実行時に処理されるアプリケーションの起動情報及び終了情報を生成し、前記接触状況データを生成するステップは、生成された前記アプリケーションの起動情報及び終了情報に基づいて、接触開始時刻及び接触終了時刻を特定し、前記接触開始時刻及び接触終了時刻を含んだ前記接触状況データを生成することを要旨とする。
【００２６】
本発明の第１９の特徴は、本発明の第１７又は第１８の特徴に係り、前記端末装置が、前記コンテンツの接触機能の実行時における、利用者による操作部の操作を示す操作情報を取得するステップを備え、前記接触状況データを生成するステップは、取得された前記操作情報に基づいて、接触対象のコンテンツの伝送チャンネルを特定し、前記接触対象のコンテンツの伝送チャンネルを含んだ前記接触状況データを生成することを要旨とする。
【００２７】
本発明の第２０の特徴は、本発明の第１９の特徴に係り、前記接触状況データを生成するステップは、前記操作情報に基づいて、前記コンテンツに付随する付随コンテンツへの接触状況を特定し、前記付随コンテンツへの接触状況を含んだ前記接触状況データを生成することを要旨とする。
【００２８】
本発明の第２１の特徴は、本発明の第１７乃至第２０の特徴に係り、前記端末装置が、前記コンテンツの接触機能の実行時における、コンテンツ画像の情報を取得するステップを備え、前記接触状況データを生成するステップは、取得された前記コンテンツ画像の情報に基づいて、接触対象のコンテンツの伝送チャンネルを特定し、前記接触対象のコンテンツの伝送チャンネルを含んだ前記接触状況データを生成することを要旨とする。
【００２９】
本発明の第２２の特徴は、本発明の第１７乃至第２１の特徴に係り、前記接触状況データを生成するステップは、前記端末装置の識別情報を含んだ前記接触状況データを生成することを要旨とする。
【００３０】
本発明の第２３の特徴は、本発明の第１７乃至第２２の特徴に係り、前記端末装置が、自端末装置の位置を検出するステップを備え、前記接触状況データを生成するステップは、検出された前記端末装置の位置を含んだ前記接触状況データを生成することを要旨とする。
【００３１】
本発明の第２４の特徴は、本発明の第１７乃至第２３の特徴に係り、前記端末装置が、前記端末装置が、前記接触状況データの生成を要求するための生成要求信号を検出するステップを備え、前記接触状況データを生成するステップは、前記生成要求信号が検出された場合に、前記接触状況データを生成することを要旨とする。
【発明の効果】
【００３２】
本発明によれば、端末装置でのコンテンツの接触状況の把握をより適切に行うことが可能となる。
【図面の簡単な説明】
【００３３】
【図１】本発明の実施形態に係る放送視聴調査システムの全体概略構成図である。
【図２】本発明の実施形態に係る携帯電話機の概略構成図である。
【図３】本発明の実施形態に係る、携帯電話機内の制御部の機能ブロック構成図である。
【図４】情報の入力順を示す図である。
【図５】視聴状況データの一例を示す図である。
【図６】本発明の実施形態に係る収集サーバの概略構成図である。
【図７】本発明の実施形態に係る携帯電話機の動作を示す第１のフローチャートである。
【図８】本発明の実施形態に係る携帯電話機の動作を示す第２のフローチャートである。
【発明を実施するための形態】
【００３４】
次に、図面を参照して、本発明の実施形態を説明する。具体的には、（１）放送視聴調査システムの構成、（２）携帯電話機の動作、（３）作用・効果、（４）その他の実施形態について説明する。以下の実施形態における図面の記載において、同一又は類似の部分には同一又は類似の符号を付している。
【００３５】
（１）放送視聴調査システムの構成
まず、本発明の実施形態に係る放送視聴調査システムの構成について、（１．１）放送視聴調査システムの全体概略構成、（１．２）携帯電話機の構成、（１．３）収集サーバの構成の順に説明する。
【００３６】
（１．１）放送視聴調査システムの全体概略構成
図１は、本発明の実施形態に係る放送視聴調査システムの全体概略構成図である。
【００３７】
図１に示すように、放送視聴調査システムは、携帯電話機１０、収集サーバ２０、放送局装置３０、中継局装置４０、無線基地局５０及び有線ネットワーク６０とを含む。
【００３８】
放送局装置３０は、ワンセグメント放送用の信号（ワンセグ放送信号）を送出する。中継局装置４０は、放送局装置３０からのワンセグ放送信号を受信し、適宜増幅した上で送出する。
【００３９】
携帯電話機１０は、ワンセグメント放送の視聴機能を有する。この携帯電話機１０は、中継局装置４０からのワンセグ放送信号を受信し、画像表示や音声出力といったワンセグメント放送の視聴機能を実行する。また、携帯電話機１０は、ワンセグメント放送の視聴状況を示す視聴状況データを生成する。更に、携帯電話機１０は、無線基地局５０及び有線ネットワーク６０を介して、収集サーバ２０へ視聴状況データを送信する。
【００４０】
収集サーバ２０は、無線基地局５０及び有線ネットワーク６０を介して、携帯電話機１０からの視聴状況データを受信する。更に、収集サーバ２０は、受信した視聴状況データを記憶する。
【００４１】
（１．２）携帯電話機の構成
（１．２．１）携帯電話機の概略構成図
図２は、携帯電話機１０の概略構成図である。図２に示すように、携帯電話機１０は、制御部１０２、記憶部１０３、無線通信部１０６、通信用アンテナ１０７、放送受信部１０８、放送用アンテナ１０９、モニタ１１０、マイク１１２、スピーカ１１４、ＧＰＳ受信部１１５、及び、操作部１１６を含む。
【００４２】
制御部１０２は、例えばＣＰＵによって構成され、携帯電話機１０が具備する各種機能を制御する。記憶部１０３は、例えばメモリによって構成され、携帯電話機１０における制御などに用いられる各種情報を記憶する。
【００４３】
無線通信部１０６は、通信用アンテナ１０７を介して無線信号の送信及び受信を行う。
【００４４】
放送受信部１０８は、放送用アンテナ１０９を介してワンセグ放送信号の受信を行う。
【００４５】
モニタ１１０は、制御部１０２を介して受信した、ワンセグ放送の画像を表示したり、操作内容を表示したりする。マイク１１２は、音声を集音し、集音された音声に基づく音声データを制御部１０２へ出力する。スピーカ１１４は、制御部１０２を介して受信した、ワンセグ放送の音声を出力する。
【００４６】
ＧＰＳ受信部１１５は、ＧＰＳ衛星からの信号（ＧＰＳ信号）を受信する。操作部１１６は、テンキーやファンクションキーなどによって構成され、ユーザの操作内容を入力するために用いられるインタフェースである。
【００４７】
（１．２．２）携帯電話機の詳細構成
次に、携帯電話機１０の詳細構成、具体的には、制御部１０２の機能ブロック構成について説明する。図３は、携帯電話機１０の制御部１０２の機能ブロック構成図である。
【００４８】
図３に示すように、制御部１０２は、アプリケーション監視部１５２、キーロガー情報取得部１５４、キャプチャ画像情報取得部１５６、位置情報検出部１６０、着信検出部１６１、視聴状況データ生成部１６２及び視聴状況データ送信部１６４を含む。
【００４９】
アプリケーション監視部１５２は、ワンセグメント放送の視聴機能の実行時に処理されるアプリケーション（ワンセグアプリ）の起動及び終了を監視している。ワンセグアプリのプログラムは、例えば記憶部１０３に記憶されており、制御部１０２は、記憶部１０３からワンセグアプリのプログラムを読み出して実行する。
【００５０】
ワンセグアプリの起動時には、アプリケーション監視部１５２は、アクションログとしてのワンセグアプリ起動情報を生成し、視聴状況データ生成部１６２へ出力する。
【００５１】
また、ワンセグアプリの終了時には、アプリケーション監視部１５２は、アクションログとしてのワンセグアプリ終了情報を生成し、視聴状況データ生成部１６２へ出力する。
【００５２】
キーロガー情報取得部１５４は、利用者による操作部１１６の操作を監視している。更に、キーロガー情報取得部１５４は、利用者による操作部１１６の操作を示すキーロガー情報を生成して、視聴状況データ生成部１６２へ出力する。
【００５３】
キャプチャ画像情報取得部１５６は、モニタ１１０に表示されるワンセグメント放送の画像を取得する。例えば、キャプチャ画像情報取得部１５６は、視聴チャンネルの変更が行われた直後のタイミングで、モニタ１１０に表示されるワンセグメント放送の画像を取得する。更に、キャプチャ画像情報取得部１５６は、ワンセグメント放送の画像の情報（画像キャプチャ情報）を、視聴状況データ生成部１６２へ出力する。
【００５４】
位置情報検出部１６０は、ＧＰＳ受信部１１５から出力されるＧＰＳ信号を入力する。更に、位置情報検出部１６０は、ＧＰＳ信号に基づいて、携帯電話機１０の位置を検出し、視聴状況データ生成部１６２へ出力する。
【００５５】
着信検出部１６１は、携帯電話機１０に電話や電子メールの着信時に、利用者が操作部１１６を操作して応答する操作を行った場合の当該操作に対応するキーロガー情報を検出する。このキーロガー情報は、視聴状況データの生成を要求するための生成要求信号となる。更に、着信検出部１６１は、携帯電話機１０に電話や電子メールの着信に対する応答操作があったことを示す着信検出結果を視聴状況データ生成部１６２へ出力する。
【００５６】
視聴状況データ生成部１６２は、ワンセグメント放送の視聴機能の実行開始時から実行終了時までの間において、あるいは、ワンセグメント放送の視聴機能の実行開始時から電話や電子メールの着信に対する応答操作があるまでの間において、上述したワンセグアプリ起動情報、ワンセグアプリ終了情報、着信検出結果、キーロガー情報、画像キャプチャ情報、及び、携帯電話機１０の位置情報を入力する。
【００５７】
図４は、視聴状況データ生成部１６２における、各種情報の入力順の一例を示す図である。ワンセグメント放送の視聴機能の実行開始時には、ワンセグアプリが起動し、視聴状況データ生成部１６２は、ワンセグアプリ起動情報を入力することになる。また、ワンセグメント放送の視聴機能の実行終了時には、ワンセグアプリが終了し、視聴状況データ生成部１６２は、ワンセグアプリ終了情報を入力することになる。したがって、図４に示すように、ワンセグメント放送の視聴機能の実行時において、視聴状況データ生成部１６２は、最初にワンセグアプリ起動情報を入力し、最後にワンセグアプリ終了情報を入力することになる。
【００５８】
また、視聴状況データ生成部１６２は、着信検出部１６１からの着信検出結果を入力した場合には、最初にワンセグアプリ起動情報を入力し、最後に着信検出結果を入力することになる。
【００５９】
再び、図３に戻って説明する。更に、視聴状況データ生成部１６２は、ワンセグアプリ起動情報、ワンセグアプリ終了情報、着信検出結果、視聴終了時刻、キーロガー情報、画像キャプチャ情報、及び、携帯電話機１０の位置情報とに基づいて、ワンセグメント放送の視聴状況を示す視聴状況データを生成する。
【００６０】
この際、視聴状況データ生成部１６２は、キーロガー情報に基づいて、視聴対象の放送チャンネルを特定する。
【００６１】
具体的には、操作部１１６は、チャンネル番号を増加させるキー（増加キー）とチャンネル番号を減少させるキー（減少キー）とを含む。また、直前のワンセグメント放送の視聴機能の実行終了時に視聴されていたワンセグメント放送のチャンネル番号（直前視聴チャンネル番号）が記憶部１０３に記憶されている。
【００６２】
視聴状況データ生成部１６２は、記憶部１０３に記憶された直線視聴チャネル番号を取得する。更に、ワンセグメント放送の視聴機能の実行開始後において、増加キー及び減少キーが押下される毎に、視聴状況データ生成部１６２は、押下された増加キー及び減少キーを判別可能なキーロガー情報を入力する。更に、視聴状況データ生成部１６２は、記憶部１０３から読み出した直前視聴チャンネル番号に対して、現時点での増加キーに対応するキーロガー情報の入力回数を加算するとともに、現時点での減少キーに対応するキーロガー情報の入力回数を減算する。この計算の結果は、現時点で視聴されているワンセグメント放送のチャンネル番号を示す視聴チャンネル情報となる。
【００６３】
また、視聴状況データ生成部１６２は、画像キャプチャ情報に基づいて、視聴対象の放送チャンネルを特定する。具体的には、視聴状況データ生成部１６２は、画像キャプチャ情報に対応する画像の所定位置（例えば、右上の位置）の番号の画像を抽出し、当該番号を、現時点で視聴されているワンセグメント放送のチャンネル番号を示す視聴チャンネル情報とする。
【００６４】
また、視聴状況データ生成部１６２は、キーロガー情報に基づいて、ワンセグメント放送に付随するデータ放送への接触状況）を特定する。ここで、データ放送への接触状況とは、利用者が、データ放送に含まれるデータ項目を選択する等、データ放送を利用している状況を示す。
【００６５】
具体的には、操作部１１６は、データ放送に含まれるデータ項目を選択するための上方向への移動のためキー（上移動キー）と、下方向への移動のためのキー（下移動キー）と、データ項目を確定するための確定キーとを含む。
【００６６】
視聴状況データ生成部１６２は、モニタ１１０の方向を検出する。具体的には、視聴状況データ生成部１６２は、モニタ１１０の基準位置からの回転角度を検出する。モニタ１１０が縦方向である場合、すなわち、モニタ１１０が縦長の配置である場合、視聴状況データ生成部１６２は、ワンセグメント放送の視聴機能の実行開始後において、上移動キー、下移動キー及び確定キーが押下される毎に、押下された上移動キー、下移動キー及び確定キーを判別可能なキーロガー情報を入力する。更に、視聴状況データ生成部１６２は、入力したキーロガー情報を入力順に配置した情報であるデータ放送接触情報を生成する。
【００６７】
また、視聴状況データ生成部１６２は、ワンセグアプリ起動情報の入力時の時刻を、携帯電話機１０が内蔵する時計（図示せず）から取得し、視聴開始時刻として特定する。また、視聴状況データ生成部１６２は、ワンセグアプリ終了情報の入力時の時刻や、着信検出結果の入力時の時刻を、携帯電話機１０が内蔵する時計から取得し、視聴終了時刻として特定する。
【００６８】
また、視聴状況データ生成部１６２は、ワンセグアプリ終了情報の入力と同時に位置情報検出部１６０から入力した携帯電話機１０の位置情報を視聴終了時の位置情報として特定する。なお、視聴状況データ生成部１６２は、ワンセグメント放送の視聴機能の実行開始時から実行終了時までの間において、あるいは、ワンセグメント放送の視聴機能の実行開始時から携帯電話機１０に電話や電子メールの着信に対する応答操作があるまでの間において、位置情報検出部１６０から入力した携帯電話機１０の位置情報を、ワンセグメント放送視聴時の位置情報として特定してもよい。
【００６９】
視聴状況データ生成部１６２は、上述した視聴開始時刻、視聴終了時刻、視聴チャンネル情報、データ放送接触情報、及び、視聴終了時の位置情報と、携帯電話機１０の識別ＩＤとを含んだ視聴状況データを生成する。図５は、視聴状況データの一例を示す図である。携帯電話機１０の識別ＩＤは、記憶部１０３に記憶されている。視聴状況データ生成部１６２は、記憶部１０３から携帯電話機１０の識別ＩＤを読み出して、視聴状況データに含ませる。
【００７０】
更に、視聴状況データ生成部１６２は、生成した視聴状況データを視聴状況データ送信部１６４へ出力する。視聴状況データ送信部１６４は、入力した視聴状況データを、無線通信部１０６、通信用アンテナ１０７、無線基地局５０及び有線ネットワーク６０を介して、収集サーバ２０へ送信する。
【００７１】
（１．３）収集サーバの構成
（１．３．１）収集サーバの概略構成図
図７は、収集サーバ２０の概略構成図である。図７に示すように、収集サーバ２０は、インタフェース部（Ｉ／Ｆ部）２０２、制御部２０４及び記憶部２０６を含む。
【００７２】
Ｉ／Ｆ部２０２は、ルータ等を介して有線ネットワーク６０に接続される。このＩ／Ｆ部２０２は、携帯電話機１０からの視聴状況データを受信し、制御部２０４へ出力する。
【００７３】
制御部２０４は、例えばＣＰＵによって構成され、収集サーバ２０が具備する各種機能を制御する。具体的には、制御部２０４は、視聴状況データを入力すると、当該視聴状況データを記憶部２０６に記憶させる。
【００７４】
（２）携帯電話機の動作
次に、携帯電話機１０の動作を説明する。図７は、携帯電話機１０の動作を示すフローチャートである。
【００７５】
ステップＳ１０１において、携帯電話機１０内の制御部１０２は、ワンセグメント放送の視聴機能の実行が開始されたか否かを判定する。具体的には、制御部１０２は、ワンセグアプリの起動を監視し、当該ワンセグアプリが起動されたか否かを判定する。
【００７６】
ワンセグメント放送の視聴機能の実行が開始された場合、ステップＳ１０２において、制御部１０２は、ワンセグアプリ起動情報を取得する。ステップＳ１０３において、制御部１０２は、ワンセグアプリ起動情報の取得タイミングに基づいて、放送開始時刻を取得する。
【００７７】
ステップＳ１０４において、制御部１０２は、キーロガー情報を取得する。次に、ステップＳ１０５において、制御部１０２は、画像キャプチャ情報を取得する。
【００７８】
更に、ステップＳ１０６において、制御部１０２は、ステップＳ１０４において取得したキーロガー情報と、ステップＳ１０５において取得した画像キャプチャ情報とに基づいて、視聴チャンネル情報を生成する。なお、ステップＳ１０４において取得したキーロガー情報に基づいて生成される視聴チャンネル情報と、ステップＳ１０５において取得した画像キャプチャ情報に基づいて生成される視聴チャンネル情報とが不一致である場合、制御部１０２は、何れか一方の視聴チャンネル情報を優先的に選択するようにしてもよい。
【００７９】
ステップＳ１０７において、制御部１０２は、モニタ１１０が縦方向であるか否かを判定する。モニタ１１０が縦方向であると判定された場合は、携帯電話機１０は、ワンセグメント放送とともにデータ放送の視聴機能を実行している。この場合、ステップＳ１０８において、制御部１０２は、キーロガー情報を取得する。更に、ステップＳ１０９において、制御部１０２は、取得したキーロガー情報に基づいて、視聴チャンネル情報を生成する。
【００８０】
ステップＳ１０９における視聴チャンネル情報の生成後、あるいは、ステップＳ１０７においてモニタ１１０が縦方向でないと判定された後、ステップＳ１１０において、制御部１０２は、携帯電話機１０に電話又は電子メールの着信に対する応答操作があったか否かを判定する。
【００８１】
携帯電話機１０に電話又は電子メールの着信に対する応答操作がない場合、ステップＳ１１１において、制御部１０２は、ワンセグメント放送の視聴機能の実行が終了されたか否かを判定する。具体的には、制御部１０２は、ワンセグアプリの終了を監視し、当該ワンセグアプリが終了されたか否かを判定する。
【００８２】
ワンセグメント放送の視聴機能の実行が終了されていない場合には、再び、ステップＳ１０４におけるキーロガー情報の取得以降の動作が繰り返される。
【００８３】
一方、ワンセグメント放送の視聴機能の実行が終了された場合、ステップＳ１１２において、制御部１０２は、ワンセグアプリ終了情報を取得する。
【００８４】
ステップＳ１１２におけるワンセグアプリ終了情報の取得後、あるいは、ステップＳ１１０において、電話又は電子メールの着信に対する応答操作があると判定された後、図８の動作に移行し、ステップＳ１１３において、制御部１０２は、ワンセグアプリ終了情報の取得タイミング、あるいは、電話又は電子メールの着信タイミングに基づいて、放送終了時刻を取得する。更に、ステップＳ１１４において、制御部１０２は、視聴終了時の位置情報を取得する。
【００８５】
次に、ステップＳ１１５において、制御部１０２は、ステップＳ１０３において取得した視聴開始時刻と、ステップＳ１０６において生成した視聴チャンネル情報と、ステップＳ１０９において生成したデータ放送接触情報と、ステップＳ１１３において取得した視聴終了時刻と、ステップＳ１１４において取得した視聴終了時の位置情報とを含んだ視聴状況データを生成する。更に、ステップＳ１１６において、制御部１０２は、視聴状況データを収集サーバ２０に向けて送信する。
【００８６】
（３）作用・効果
本発明の実施形態に係る放送視聴調査システムにおいて、携帯電話機１０は、ワンセグアプリの起動及び終了を監視する。また、携帯電話機１０は、携帯電話機１０への電話又は電子メールの着信を検出する。更には、携帯電話機１０は、キーロガー情報、キャプチャ画像情報、携帯電話機１０の位置を取得する。そして、携帯電話機１０は、ワンセグアプリの起動及び終了の監視結果、携帯電話機１０への電話又は電子メールの着信検出の結果、キーロガー情報、キャプチャ画像情報、携帯電話機１０の位置に基づいて、放送の視聴状況を示す視聴状況データを生成し、収集サーバ２０へ送信する。すなわち、携帯電話機１０及び収集サーバ２０は、携帯電話機１０が受信したワンセグ放送信号の解析のみでは、適切に視聴状況を把握することができない場合であっても、アクションログに基づいて、視聴状況を把握することが可能となる。
【００８７】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８８】
上述した実施形態では、携帯電話機１０は、ワンセグメント放送の視聴機能の実行が終了したことを契機として視聴状況データを生成、送信したが、視聴チャンネルが切り替わる毎に、視聴状況データを生成、送信するようにしてもよい。
【００８９】
この場合、視聴状況データ生成部１６２は、視聴チャンネル切り替えに対応するキーロガー情報の入力時の時刻を、切り替え前の視聴チャンネルに対応する視聴終了時刻、及び、切り替え後の視聴チャンネルに対応する視聴開始時刻として特定する。更に、視聴状況データ生成部１６２は、視聴チャンネル毎に、当該視聴チャンネルに対応する視聴開始時刻、視聴チャンネル情報及び視聴終了時刻を含んだ視聴状況データを生成し、収集サーバ２０へ送信する。
【００９０】
あるいは、視聴状況データ生成部１６２は、複数の視聴チャンネルのそれぞれに対応する視聴開始時間、視聴チャンネル情報及び視聴終了時刻を含んだ１つの視聴状況データを生成し、収集サーバ２０へ送信するようにしてもよい。
【００９１】
上述した実施形態では、携帯電話機１０は、電話や電子メールの着信に対する応答操作があった場合に、視聴状況データを生成、送信したが、例えば、地震の発生を示すアラーム信号を検出した場合等、視聴状況データの生成を要求するための所定の信号を検出した場合に、視聴状況データを生成、送信するようにしてもよい。
【００９２】
また、上述した実施形態では、ワンセグメント放送を視聴する機能を有する携帯電話機１０について説明したが、パーソナルコンピュータやＰＨＳ端末等の各種端末装置についても、同様に本発明を適用することができる。更には、フルセグメント放送やデジタルラジオ放送等の他の放送を視聴する機能を有する各種端末装置、インターネット等を利用した通信によって取得したコンテンツを視聴する各種端末装置についても、同様に本発明を適用することができる。
【００９３】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００９４】
本発明のコンテンツ接触調査システム、端末装置、及び、コンテンツ接触調査支援方法は、端末装置でのコンテンツの接触状況の把握をより適切に行うことが可能であり、コンテンツ接触調査システム等として有用である。
【符号の説明】
【００９５】
１０…携帯電話機、２０…収集サーバ、３０…放送局装置、４０…中継局装置、５０…無線基地局、６０…有線ネットワーク６０、１０２…制御部、１０３…記憶部、１０６…無線通信部、１０７…通信用アンテナ、１０８…放送受信部、１０９…放送用アンテナ、１１０…モニタ、１１２…マイク、１１４…スピーカ、１１５…ＧＰＳ受信部、１１６…操作部、１５２…アプリケーション監視部、１５４…キーロガー情報取得部、１５６…キャプチャ画像情報取得部、１６０…位置情報検出部、１６１…着信検出部、１６２…視聴状況データ生成部、１６４…視聴状況データ送信部、２０２…Ｉ／Ｆ部、２０４…制御部、２０６…記憶部
【図１】
2010183292.tif 000003
【図２】
2010183292.tif 000004
【図３】
2010183292.tif 000005
【図４】
2010183292.tif 000006
【図５】
2010183292.tif 000007
【図６】
2010183292.tif 000008
【図７】
2010183292.tif 000009
【図８】
2010183292.tif 000010